【事件の表示】
　特願２０１５−１８３２８４「表示駆動装置、表示装置、表示駆動方法」拒絶査定不服審判事件〔平成２９年　３月２３日出願公開、特開２０１７−　５８５２２〕について、次のとおり審決する。
【結　論】
　本件審判の請求は、成り立たない。
【理　由】
第１　手続の経緯
　本願は、平成２７年９月１６日の出願であって、平成２９年１０月２０日付けで拒絶理由が通知され、平成２９年１２月１５日付けで手続補正がなされ、平成３０年３月１４日付けで拒絶査定がなされ（発送日：平成３０年３月２０日）、これに対し、平成３０年６月８日に拒絶査定不服審判が請求され、同時に手続補正がなされたものである。
第２　平成３０年６月８日付けの手続補正についての補正却下の決定
［結論］  平成３０年６月８日付けの手続補正を却下する。
［理由］
１　補正の内容
（１）本件補正
　平成３０年６月８日付けの手続補正（以下、「本件補正」という。）は、特許請求の範囲及び明細書に関するもので、本件補正後の請求項７は、次のとおりのものである（下線は、補正箇所を示す。）。
「【請求項７】
　列方向に並ぶ複数の画素に共通に接続されたデータ線と、行方向に並ぶ複数の画素に共通に接続された走査線とが、それぞれ複数配設され、前記データ線と前記走査線の各交差点に対応して画素が形成されている表示部に対して、表示データに基づく表示駆動を行う表示駆動方法として、
　前記走査線の選択タイミング毎に、前記データ線のそれぞれに対して、表示データで規定される画素の階調値に応じた時間長だけ定電流を供給するとともに、表示データで規定される階調値が非点灯を示す値である画素の全部又は一部に対して、非点灯用時間長の定電流供給を、点灯させる画素に対する前記データ線への定電流供給
を行い点灯を開始させる
　表示駆動方法。」
（２）本件補正前の請求項７
　本件補正前の、平成２９年１２月１５日付けの手続補正により補正された特許請求の範囲の請求項７の記載は、次のとおりのものである。
「【請求項７】
　列方向に並ぶ複数の画素に共通に接続されたデータ線と、行方向に並ぶ複数の画素に共通に接続された走査線とが、それぞれ複数配設され、前記データ線と前記走査線の各交差点に対応して画素が形成されている表示部に対して、表示データに基づく表示駆動を行う表示駆動方法として、
　前記走査線の選択タイミング毎に、前記データ線のそれぞれに対して、表示データで規定される画素の階調値に応じた時間長だけ定電流を供給するとともに、表示データで規定される階調値が非点灯を示す値である画素の全部又は一部に対して、非点灯用時間長の定電流供給を、点灯させる画素に対する前記データ線への定電流供給の開始タイミングから行うように前記データ線を駆動する
　表示駆動方法。」
２　補正の適否
　上記補正は、補正前の請求項７に記載した発明を特定するために必要な事項である、「表示データで規定される階調値が非点灯を示す値である画素の全部又は一部に対して」の「非点灯用時間長の定電流供給」について、「点灯させる画素に対する前記データ線への定電流供給の開始タイミングから行う」とあったところを、「点灯させる画素に対する前記データ線への定電流供給を行い点灯を開始させるタイミングから行う」と限定するものであって、特許法第１７条の２第５項第２号の特許請求の範囲の減縮を目的とするものに該当する。
　そこで、本件補正後の前記請求項７に記載された発明（以下、「本願補正発明」という。）が特許出願の際独立して特許を受けることができるものであるか（特許法第１７条の２第６項において準用する同法第１２６条第７項の規定に適合するか）について以下に検討する。
（１）本願補正発明
　本願補正発明は、上記１（１）に記載したとおりのものである。
（２）引用文献の記載事項等
ア　引用文献１について
（ア）原査定の拒絶の理由で引用された、本願の出願前に頒布された刊行物である、特開２００３−４３９９７号公報（以下、「引用文献１」という。）には、図面とともに、次の事項が記載されている。
「【０００１】
【発明の属する技術分野】本発明は、電流駆動型のディスプレイの駆動回路に関するもので、特に、プリチャージ用の定電流源を別途に備えて低消費電力を求める
電流駆動型のディスプレイ
の駆動方法
「【０００９】
【課題を解決するための手段】上記目的を達成するための本発明による
電流駆動型のディスプレイの駆動回路は、有機ＥＬピクセルと、スキャン信号によって駆動されてピクセルを発光させるスキャン駆動部と、データイネーブル信号によってオン／オフが制御されてピクセルに電流を供給する第１定電流源と、プリチャージ信号によってオン／オフが制御されてピクセルのプリチャージのための電流をピクセルに供給する第２定電流源と、
を備える
「【００１４】
【発明の実施の形態】以下、本発明による電流駆動型のディスプレイの駆動回路の好適な実施形態を添付の図面を参照して説明する。図２は本発明による電流駆動型のディスプレイの駆動回路を示す図である。図２を見ると、図１に示すような構成の
有機ＥＬ駆動部２０２にプリチャージ部２０１を更に備える。プリチャージ部２０１と有機ＥＬ駆動部２０２は有機ＥＬディスプレイパネルのデータラインとスキャンラインとの交差する位置に配列されるピクセルの数だけ備える。
【００１５】本有機ＥＬ駆動部２０２は、有機ＥＬピクセルの輝度を制御するための定電流源２０２ａと、データイネーブル信号によってオン／オフされて定電流源の電流を有機ＥＬピクセルに印加するピクセル用のスイッチ２０２ｃと、ピクセル用のスイッチ２０２ｃを介して電流を印加されて発光する有機ＥＬピクセル２０２ｄと、スキャン駆動部２０２ｅとから構成される。定電流源２０２ａには定電流源２０２ａの電流量を制御する電流制御部２０２ｂを備えている。ここで、データイネーブル信号はＰＷＭ波形の正極性側の幅である。すなわち、データイネーブル信号のハイ区間はＰＷＭ波形のデューティに該当する。従って、
データイネーブル信号のハイ区間が長くなるほどグレイスケールも高くなる。
【００１６】そして、プリチャージ部２０１は、プリチャージ用の電流を制御するための定電流源２０１ａと、定電流源２０１ａの電流量を制御して有機ＥＬピクセル２０２ｄの応答時間を調節する電流制御部２０１ｂと、そしてプリチャージのオン／オフを制御して定電流源２０１ａの電流を有機ＥＬピクセル２０２ｄに印加するプリチャージ用のスイッチ２０１ｃとから構成される。プリチャージ用のスイッチ２０１ｃのオン／オフ時間を制御して有機ＥＬピクセル２０２ｄでプリチャージされる時間を制御することができる。すなわち、プリチャージされる時間を制御して全体のパワーを合わせることができる。」
「【００２１】まず、図３の（ａ）〜（ｅ）は本発明の立ち上がり同期による各部分の動作波形図で、プリチャージレベルの最大の場合を示している。又、データ１のデータイネーブル信号は図３の（ｃ）に示すようにパルス幅の最大（例えば、２５６グレイスケール）の場合であり、データ２のデータイネーブル信号は図３の（ｅ）に示すようにパルス幅の最大でない場合（例えば、１６０グレイスケール）の例を示している。
【００２２】図３を見ると、（ａ）のスキャン波形の開始時点でプリチャージが始まっていることが分かる。すなわち、
スキャン波形の開始時点でプリチャージ信号がハイになって
プリチャージ信号のハイ区間の間に定電流源２０１ａから出力される電流は
有機ＥＬピクセル２０２ｄのアノードに印加されて有機ＥＬピクセル２０２ｄの内部キャパシタンスをプリチャージさせる。
【００２３】すなわち、データ１、データ２の
プリチャージ時間はすべてスキャン信号の開始時点と同じ時点で開始しており、その際、有機ＥＬピクセル２０２ｄにはプリチャージ用の定電流源２０１ａから設定した量だけ電流が印加される。
プリチャージが終わると、データイネーブル信号により
、ピクセル用の定電流源２０２ａから設定量の電流が
有機ＥＬピクセル２０２ｄに印加される。
データイネーブル信号のハイ区間は既設定のグレイレベルにより決定される。このとき、有機ＥＬピクセル２０２ｄは既にプリチャージ部２０１によりプリチャージされているので、ピクセル用の定電流源２０２ａから電流が印加されると、直ぐ発光する。
そして、データイネーブル信号がローになると、
ピクセル用の定電流源２０２ａの電流は有機ＥＬピクセル２０２ｄに印加されなくなる。
「【００３１】図７は本発明によるプリチャージ回路図の一例を示す図であり、図８は本発明のプリチャージ回路図の一例による立ち上がり同期を示す波形図であり、図９は本発明のプリチャージ回路図の一例による立ち下がり同期を示す波形図である。本発明によるプリチャージ駆動回路は、図７に示すように、各有機ＥＬピクセル２０２ｄのデータラインに流れる電流のオン／オフを制御するように複数のスイッチ素子Ｄ１〜ＤＮからなる第１スイッチ部３０と、プリチャージに必要な電流のオン／オフを制御する第２スイッチ部３２と、各々の所望の輝度に応じて電流量を調節する電流制御部３３と、第１スイッチ部３０の各スイッチ素子の一端に連結されて各データラインに電流を伝達するカレントミラー部３１とから構成される。第１スイッチ部３０とカレントミラー３１と電流制御部３３はグレイレベルを表現するための定電流ソースであり、第２スイッチ部３２はプリチャージ用の定電流ソースである。」
「【００３８】
プリチャージ電流レベルはＤ１〜ＤＮの制御によっても調節される
カレントミラー３１を介してデータラインに伝達され、
電流がカレントミラー３１を介してデータラインに伝達される。
（イ）したがって、引用文献１には、次の発明（以下、「引用発明」という。）が記載されているものと認められる。
 「電流駆動型のディスプレイの駆動方法（段落【０００１】より。以下、同様。）であって、
　電流駆動型のディスプレイの駆動回路は、有機ＥＬピクセルと、スキャン信号によって駆動されてピクセルを発光させるスキャン駆動部と、データイネーブル信号によってオン／オフが制御されてピクセルに電流を供給する第１定電流源と、プリチャージ信号によってオン／オフが制御されてピクセルのプリチャージのための電流をピクセルに供給する第２定電流源と、を備え（【０００９】）、
　有機ＥＬ駆動部２０２にプリチャージ部２０１を更に備え、プリチャージ部２０１と有機ＥＬ駆動部２０２は有機ＥＬディスプレイパネルのデータラインとスキャンラインとの交差する位置に配列されるピクセルの数だけ備え（【００１４】）、
　データイネーブル信号のハイ区間が長くなるほどグレイスケールも高くなり（【００１５】）、
　スキャン波形の開始時点でプリチャージ信号がハイになって、定電流源２０１ａから出力される電流は有機ＥＬピクセル２０２ｄのアノードに印加されて有機ＥＬピクセル２０２ｄの内部キャパシタンスをプリチャージさせ、（【００２２】）、
　プリチャージ時間はすべてスキャン信号の開始時点と同じ時点で開始しており、その際、有機ＥＬピクセル２０２ｄにはプリチャージ用の定電流源２０１ａから設定した量だけ電流が印加され、プリチャージが終わると、データイネーブル信号により、ピクセル用の定電流源２０２ａから設定量の電流が有機ＥＬピクセル２０２ｄに印加され、
　データイネーブル信号のハイ区間は既設定のグレイレベルにより決定され、このとき、有機ＥＬピクセル２０２ｄは既にプリチャージ部２０１によりプリチャージされているので、ピクセル用の定電流源２０２ａから電流が印加されると、直ぐ発光し、そして、データイネーブル信号がローになると、ピクセル用の定電流源２０２ａの電流は有機ＥＬピクセル２０２ｄに印加されなくなる（【００２３】）、
　電流駆動型のディスプレイの駆動方法（【０００１】）。」
イ．引用文献２について
　当審で新たに引用する、本願の出願前に頒布された刊行物である、特開２００６−６４７１７号公報（以下、「引用文献２」という。）には、図面とともに、次の事項が記載されている。
「【０００５】
  図７に、
パッシブマトリクス型有機ＥＬディスプレイ
「【００１０】
  本発明は、
予備充電用電源を特に設けることなく、表示に用いる電流源（電流出力手段）を用いて予備充電を行う。
「【００１４】
  本発明の駆動装置によれば、
予備充電用電源を特に設けることなく、表示に用いる電流源（電流出力手段）を用いて予備充電を行う。
「【００１７】
  図１を用いて本発明の第１の実施の形態の駆動装置を説明する。本実施の形態の駆動装置はカラムドライバ１として実現される。カラムドライバ１は、出力端子１１６によって有機ＥＬディスプレイ２のカラム電極と接続される。カラムドライバ１においては、出力端子１１６のそれぞれ（図１では赤、緑、青のラインに合わせて１１６Ｒ，１１６Ｇ，１１６Ｂとしている）に対して、データラッチ回路１２、ＰＷＭ回路１３、定電流源回路１４、出力切替スイッチ１５が備えられている。データラッチ回路１２は、クロック信号１０２を受けて、適切なデータサンプリングのタイミング信号を発生させるシフトレジスタ１１を用いることにより、データ信号線１０４を通じて入力される画像データを適切なタイミングでサンプリングする。サンプリングされたデータ端子１０４のそれぞれ（図１では、赤、緑、青のデータに合わせて１０４Ｒ，１０４Ｇ，１０４Ｂとしている）のデータは、端子１０６に入力されるデータラッチ信号によりＰＷＭ回路１３に一斉に出力される。この値は、ＰＷＭ回路１３の内部のレジスタ（図示しない）によって保持される。
【００１８】
  カラムドライバ１は、予備充電期間設定用レジスタ１６、ＰＷＭカウンタ１７、定電流源電流値設定回路１８をさらに含んでいる。予備充電期間設定用レジスタ１６には、予備充電時間データが端子１０８から入力される。また、ＰＷＭカウンタ１７には、カウントスタート信号およびＰＷＭカウンタクロックがそれぞれ端子１１０および１１２から入力される。定電流源電流値設定回路１８には、電流設定データが端子１１４から入力される。」
「【００２３】
  
端子１１０にカウンタスタート信号が入力される
【００２４】
  この動作を、ＰＷＭカウンタ１７のレジスタ値および画像データがともに８ビットである場合を例に説明する。図２において、画像データが０（非発光）であるときの波形を符号Ｄによって示す。このとき、予備充電期間経過後直ぐに出力端子１１６の電流は０にされ、有機ＥＬ素子はＶｔｈまで充電されるが、発光する期間が殆ど無く、輝度がほぼ０となる。また、
画像データが
発光
である場合
、予備充電期間が経過しても
出力端子１１６の電流は、継続して出力され
　また、引用文献２の「図２（ｂ）」の「出力端子１１６の電流出力波形を示す図」（段落【００２１】より。以下、同様。）より、「画像データが０（非発光）であるときの波形を符号Ｄ」は、「画像データが２５５（１００％発光）である場合の波形を符号Ｂ」や「画像データが１９１（約７５％発光）の波形を符号Ｍ」と同じタイミング（具体的には、「端子１１０にカウンタスタート信号が入力される」（【００２３】）タイミング）で、「０」から「Ｉ０」に上昇し、その後、「画像データが１９１（約７５％発光）」や「２５５（１００％発光）」である場合には、「予備充電期間が経過しても」「出力端子１１６の電流は、継続して出力され」（【００２４】）ていることが見て取れる。 
　したがって、引用文献２には、次の技術事項が記載されているものと認められる。
「パッシブマトリクス型有機ＥＬディスプレイにおいて（段落【０００５】より。以下、同様。）、
　表示に用いる電流源（電流出力手段）を用いて予備充電を行い（【００１４】）、画像データが発光である場合、予備充電期間が経過しても出力端子１１６の電流は（【００２４】）、Ｉ０のまま（図２（ｂ））、継続して出力される（【００２４】）、
　パッシブマトリクス型有機ＥＬディスプレイ（【０００５】）。」
（３）引用発明との対比
ア　本願補正発明と引用発明とを対比する。
（ア）引用発明における「電流駆動型のディスプレイ」は、「データラインとスキャンラインとの交差する位置に」「ピクセル」が「配列される」ものであるから、本願補正発明における「列方向に並ぶ複数の画素に共通に接続されたデータ線と、行方向に並ぶ複数の画素に共通に接続された走査線とが、それぞれ複数配設され、前記データ線と前記走査線の各交差点に対応して画素が形成されている表示部」に相当する。
（イ）引用発明における「グレイレベル」が本願補正発明における「画素の階調値」に相当する。
（ウ）引用文献１の段落【００２１】に「
データ１のデータイネーブル信号
データ２のデータイネーブル信号
（エ）引用発明では、「発光させ」る「有機ＥＬピクセル２０２ｄは既にプリチャージ部２０１によりプリチャージされているので、ピクセル用の定電流源２０２ａから電流が印加されると、直ぐ発光」するとされている。
　すると、引用発明において、「有機ＥＬピクセル２０２ｄに印加され」る「プリチャージのための電流」と、「グレイレベル」により決定された「ハイ区間」の「電流」とは、相伴って、データに基づく「ハイ区間」の「長さ」に応じた「グレイスケール」の「発光」の実現に寄与しているといえる。
　してみれば、引用発明における「ディスプレイの駆動方法」において、「スキャン信号の開始時点」から、「プリチャージ時間」と、データの「グレイレベル」により決定された「ハイ区間」の「長」さとを併せた期間だけ、それぞれの「定電流源」から電流を「有機ＥＬピクセル２０２ｄのアノード」（つまり、「データライン」）に「供給」することと、本願補正発明における「表示データに基づく表示駆動を行う表示駆動方法として、前記走査線の選択タイミング毎に、前記データ線のそれぞれに対して、表示データで規定される画素の階調値に応じた時間長だけ定電流を供給する」こととは、「表示データに基づく表示駆動を行う表示駆動方法として、前記走査線の選択タイミング毎に、前記データ線のそれぞれに対して、表示データで規定される画素の階調値に応じた時間長だけ電流を供給する」点で共通する。
（オ）引用発明において、「発光させ」ない「有機ＥＬピクセル」について規定された「データイネーブル信号」の「ハイ区間」が、「０」になることは明らかである。
　よって、引用発明における「データイネーブル信号」の「ハイ区間」が「０」になる「有機ＥＬピクセル２０２ｄ」が、本願補正発明における「表示データで規定される階調値が非点灯を示す値である画素」に相当する。
（カ）引用発明では、「グレイスケール」（すなわち、「グレイレベル」）により決定された「ハイ区間」の値にかかわらず（つまり、「ハイ区間」が「０」の場合を特に除外することなく）、「スキャン波形の開始時点」から、「定電流源２０１ａから出力される電流」が「プリチャージ時間」だけ「有機ＥＬピクセル２０２ｄのアノード」（つまり、「データライン」）に「供給」されることと、本願補正発明における「表示データで規定される階調値が非点灯を示す値である画素の全部又は一部に対して、非点灯用時間長の定電流供給を、点灯させる画素に対する前記データ線への定電流供給を行い点灯を開始させるタイミングから行うように前記データ線を駆動する」こととは、「表示データで規定される階調値が非点灯を示す値である画素の全部又は一部に対して、非点灯用時間長の定電流供給を行うように前記データ線を駆動する」点で共通する。
イ　以上のことから、本願補正発明と引用発明との一致点、相違点は、次のとおりである。
（一致点）
「列方向に並ぶ複数の画素に共通に接続されたデータ線と、行方向に並ぶ複数の画素に共通に接続された走査線とが、それぞれ複数配設され、前記データ線と前記走査線の各交差点に対応して画素が形成されている表示部に対して、表示データに基づく表示駆動を行う表示駆動方法として、
　前記走査線の選択タイミング毎に、前記データ線のそれぞれに対して、表示データで規定される画素の階調値に応じた時間長だけ電流を供給するとともに、表示データで規定される階調値が非点灯を示す値である画素の全部又は一部に対して、非点灯用時間長の定電流供給を行うように前記データ線を駆動する
　表示駆動方法。」
（相違点１）
　本願補正発明では、非点灯の画素に対する「非点灯用時間長の定電流供給」を、点灯させる画素に対する「定電流供給を行い点灯を開始させるタイミングから行うように」しているのに対し、引用発明では、（ピクセルを「発光させ」るか否かを区別せず）「プリチャージ時間はすべてスキャン信号の開始時点と同じ時点で開始しており」、「プリチャージが終わると、（「発光させ」るピクセルに対しては、）データイネーブル信号により、ピクセル用の定電流源２０２ａから設定量の電流が有機ＥＬピクセル２０２ｄに印加され」ている点。
            
（相違点２）
　本願補正発明では、「表示データで規定される画素の階調値に応じた時間長だけ
定
（４）判断
　以下、相違点について検討する。
ア　相違点１、２について
（ア）事案に鑑み、相違点１、２についてまとめて判断する。
　引用文献２には、「パッシブマトリクス型有機ＥＬディスプレイにおいて、表示に用いる電流源（電流出力手段）を用いて予備充電を行い、画像データが発光である場合、予備充電期間が経過しても出力端子１１６の電流は、Ｉ０のまま、継続して出力される」技術が記載されている。
　ここで、引用文献２に記載された技術において、発光する有機ＥＬ素子に対する電流出力は、予備充電期間及び「発光」期間を通して、
「表示に用いる電流源（電流出力手段）」のみが継続的に行っている
（イ）そして、引用発明と引用文献２に記載された技術とは、パッシブマトリクス型有機ＥＬディスプレイにおけるプリチャージ（予備充電）技術の点で共通し、引用文献２に記載された「予備充電用電源を特に設けることなく、表示に用いる電流源（電流出力手段）を用いて予備充電を行う」（引用文献２の段落【００１０】）という技術課題は、引用発明にもあてはまることから、引用発明と引用文献２に記載された技術を適用することは当業者に動機付けられていたことであるといえる。
　よって、引用発明に引用文献２に記載された技術を適用し、引用発明において、「プリチャージのための電流」を供給する「第２定電流源」（定電流源２０１ａ）を設けることなく、「発光」させるために「ピクセルに電流を供給する」「第１定電流源」（定電流源２０２ａ）のみを用いて「プリチャージ」を行い、「発光させ」る「ピクセル」に対しては、「プリチャージが終わ」っても「継続して」「第１定電流源」（定電流源２０２ａ）から電流を「供給」すること（つまり、「プリチャージ」の開始時点を、ピクセルの「発光」を開始させるタイミングとすること）で、上記相違点１に係る本願補正発明の構成とすることは、当業者が容易になし得たことである。
　また、その際、「第１定電流源」（定電流源２０２ａ）の電流の大きさを、引用文献２の図２（ｂ）に記載されているとおり「Ｉ０」のまま継続するようにし（つまり、供給期間に亘って不変の「定電流」とし）、上記相違点２に係る本願補正発明の構成とすることも、当業者が容易になし得たことである。
イ　そして、これらの相違点を総合的に勘案しても、本願補正発明の奏する作用効果は、引用発明及び引用文献２に記載された技術が奏する作用効果から予測される範囲内のものにすぎず、格別顕著なものいうことはできない。
ウ　したがって、本願補正発明は、引用発明及び引用文献２に記載された技術に基づいて当業者が容易に発明をすることができたものであり、特許法第２９条第２項の規定により、特許出願の際、独立して特許を受けることができないものである。
（５）本件補正についてのむすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。　
　よって、上記補正却下の決定の結論のとおり決定する。
第３　本願発明について
１　本願発明
　平成３０年６月８日付けの手続補正は、上記のとおり却下されたので、本願の請求項７に係る発明は、平成２９年１２月１５日付けの手続補正により補正された特許請求の範囲の請求項１−８に記載された事項により特定されるとおりのものであるところ、その請求項７に係る発明（以下、「本願発明」という。）は、前記第２［理由］１（２）に記載のとおりのものである。再掲すれば、次のとおり。
「【請求項７】
　列方向に並ぶ複数の画素に共通に接続されたデータ線と、行方向に並ぶ複数の画素に共通に接続された走査線とが、それぞれ複数配設され、前記データ線と前記走査線の各交差点に対応して画素が形成されている表示部に対して、表示データに基づく表示駆動を行う表示駆動方法として、
　前記走査線の選択タイミング毎に、前記データ線のそれぞれに対して、表示データで規定される画素の階調値に応じた時間長だけ定電流を供給するとともに、表示データで規定される階調値が非点灯を示す値である画素の全部又は一部に対して、非点灯用時間長の定電流供給を、点灯させる画素に対する前記データ線への定電流供給の開始タイミングから行うように前記データ線を駆動する
　表示駆動方法。」
２　原査定の拒絶の理由
　原査定の拒絶の理由のうち、理由２の概要は、次のとおりである。
「この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項１−８
・引用文献１−２のいずれか
　　　　　　　　　　　　＜引用文献等一覧＞
１．特開２００３−４３９９７号公報
２．特開２００６−２１５０９９号公報」
３　引用刊行物
　原査定の拒絶の理由（理由２）で引用された引用文献１及びその記載事項は、前記第２の［理由］２（２）アに記載したとおりである。
４　対比・判断
（１）対比
　本願発明と引用発明とを対比する。
ア　前記第２の［理由］２（３）ア、（ア）−（オ）で述べた、本願補正発明と引用発明との対比は、本願発明と引用発明との対比に、そのままあてはまる。
イ　引用発明では、「グレイスケール」（すなわち、「グレイレベル」）により決定された「ハイ区間」の値にかかわらず（つまり、「ハイ区間」が「０」の場合を特に除外することなく）、「スキャン波形の開始時点」から、「定電流源２０１ａから出力される電流」が「プリチャージ時間」だけ「有機ＥＬピクセル２０２ｄのアノード」（つまり、「データライン」）に「供給」されている。
　つまり、引用発明における「発光させ」ないピクセルへの「第２定電流源」（定電流源２０１ａ）からの「電流」の「供給」タイミングは、「発光させ」るピクセルへの「第２定電流源」（定電流源２０１ａ）からの「定電流源２０１ａから出力」タイミングと同じく、「スキャン波形の開始時点」であって、このことは、本願発明における「表示データで規定される階調値が非点灯を示す値である画素の全部又は一部に対して、非点灯用時間長の定電流供給を、点灯させる画素に対する前記データ線への定電流供給の開始タイミングから行うように前記データ線を駆動する」ことと、「表示データで規定される階調値が非点灯を示す値である画素の全部又は一部に対して、非点灯用時間長の定電流供給を、点灯させる画素に対する前記データ線への電流供給の開始タイミングから行うように前記データ線を駆動する」点で共通する。
　したがって、本願発明と引用発明との一致点、相違点は次のとおりである。
（一致点）
「列方向に並ぶ複数の画素に共通に接続されたデータ線と、行方向に並ぶ複数の画素に共通に接続された走査線とが、それぞれ複数配設され、前記データ線と前記走査線の各交差点に対応して画素が形成されている表示部に対して、表示データに基づく表示駆動を行う表示駆動方法として、
　前記走査線の選択タイミング毎に、前記データ線のそれぞれに対して、表示データで規定される画素の階調値に応じた時間長だけ電流を供給するとともに、表示データで規定される階調値が非点灯を示す値である画素の全部又は一部に対して、非点灯用時間長の定電流供給を、点灯させる画素に対する前記データ線への電流供給の開始タイミングから行うように前記データ線を駆動する
　表示駆動方法。」
（相違点３）
　本願発明では、「表示データで規定される画素の階調値に応じた時間長だけ
定
（２）相違点３についての判断
ア　引用文献１の段落【００３８】には、「プリチャージ電流レベルはＤ１〜ＤＮの制御によっても調節され・・・電流がカレントミラー３１を介してデータラインに伝達される。」と記載され、該記載は、引用発明における「プリチャージのための電流を供給」する「第２定電流源」（定電流源２０１ａ）の電流レベルを適宜に調節すべきことを示している。
イ　そして、本願出願前に頒布された刊行物である、特開２００６−７１８５８号公報の段落【００１２】に「プリチャージ信号は、発光階調に応じてパルス幅変調された定電流信号
よりも大きな電流値
であってもよい。
同じ
ウ　よって、引用発明における「プリチャージのための電流」を供給する「第２定電流源」（定電流源２０１ａ）の電流レベルを、「発光させ」るために「ピクセルに電流を供給する」「第１定電流源」（定電流源２０２ａ）の電流レベルと、同じレベルに「調節」し、「スキャン波形の開始時点」以降において「ピクセル」に「供給」される電流レベルが常に一定の値となるようにして、上記相違点３に係る本願発明の構成とすることは、当業者が適宜になし得たことである。
（３）まとめ
　よって、本願発明は、引用発明に基づいて、当業者が容易に発明をすることができたものである。
５　むすび
　以上のとおり、本願発明は、特許法第２９条第２項の規定により特許を受けることができないから、他の請求項について検討するまでもなく、本願は拒絶されるべきものである。
　よって、結論のとおり審決する。